(57)【特許請求の範囲】
【請求項１】
装置本体への周辺装置の装着状態を検出する検出部と、
前記装置本体、及び前記周辺装置のそれぞれの外観図の画像データを記憶する記憶部と、
前記記憶部を参照して、前記検出部が検出した装着状態に応じた外観図の画像データを作成する作成部と、
前記作成部が作成した外観図の画像データに基づく画像を表示する表示部と、を備え、
前記装置本体の外観図は、透視投影図法を用いて作成されており、
前記周辺装置の外観図は、前記装置本体の一方の側面に選択的に装着可能な第１周辺装置の外観図と、前記装置本体と前記第１周辺装置との間に選択的に装着可能な第２周辺装置の外観図と、を含み、
前記第１周辺装置の外観図は、前記装置本体側の投影線を前記透視投影図法における投影線に平行とし、前記装置本体と反対側の投影線を前記装置本体側の投影線に交差させる投影図法を用いて作成されており、
前記第２周辺装置の外観図は、複数の投影線を前記装置本体側の投影線と平行にする平行投影図法を用いて作成されている画像形成装置。
【請求項２】
前記装置本体の外観図は、前記装置本体の背面側に消失点が存在する一点透視図法を用いて作成されており、
前記第１周辺装置の少なくとも上面及び前面の外観図は、前記装置本体の背面側に消失点が存在する一点透視図法を用いて作成されており、
前記第２周辺装置の外観図は、斜投影図法を用いて作成されている請求項１に記載の画像形成装置。
【請求項３】
前記記憶部は、前記装置本体、前記周辺装置のそれぞれの上面又は前面の何れかに装着可能な第３周辺装置の外観図の画像データをさらに記憶し、
前記第３周辺装置の外観図は、前記第３周辺装置が前記装置本体の上面又は前面に装着可能な場合に、前記装置本体と同一の図法を用いて作成されており、前記第３周辺装置が前記第１周辺装置の上面又は前面に装着可能な場合に、前記第１周辺装置と同一の図法を用いて作成されており、前記第３周辺装置が前記第２周辺装置の上面又は前面に装着可能な場合に、前記第２周辺装置と同一の図法を用いて作成されている請求項１又は請求項２に記載の画像形成装置。
【請求項４】
前記第１周辺装置は、後処理装置又は給紙装置である請求項１〜請求項３の何れかに記載の画像形成装置。
【発明の詳細な説明】
【技術分野】
【０００１】
この発明は、装置本体に周辺装置を選択的に装着可能であり、装置本体への周辺装置の装着状態に応じた外観図を表示部に表示する画像形成装置に関する。
【背景技術】
【０００２】
画像形成装置には、装置本体の給紙側の側面に装置本体へ用紙を給紙する給紙ユニットを選択的に装着可能にし、装置本体の排紙側の側面に装置本体から排出された用紙にパンチ穴形成処理やソート処理等を行う後処理ユニットを選択的に装着可能にして、用紙に画像形成処理を行うものがある。また、給紙ユニット及び後処理ユニットのそれぞれと装置本体との間に他の周辺装置を選択的に装着可能にすることで、さらに機能を拡張するものもある。
【０００３】
画像形成処理中に用紙にジャムが発生すると、ジャム処理をする必要がある。しかし、装置本体に装着された周辺装置の台数が増えると、ジャムの発生箇所がわかりにくくなる。そこで、画像形成装置には、画像形成装置や周辺装置の外観図にジャムの発生箇所を追加して表示部に表示することでジャムの発生箇所を通知するものがある（例えば、特許文献１参照。）。
【０００４】
ジャムの発生箇所の視認性を向上させるためには、画像形成装置の立体的な外観図を作成して表示部に表示する。立体的な外観図は、各種投影図法を用いて作成する。投影図法の一つである透視投影図法では、視点から物体までの視線を一つの消失点に収束するようにして作図するため、物体を人間の目に映るのと同様に近くが大きく遠くが小さく描かれ、肉眼での見た目に近い外観図を作成することができる。
【先行技術文献】
【特許文献】
【０００５】
【特許文献１】特開２００７−３６９９７号公報
【発明の概要】
【発明が解決しようとする課題】
【０００６】
しかし、透視投影図法を用いると、装着する周辺装置の台数や周辺装置の装着順等の装着状態の変化に応じて、固定された消失点に対する各周辺装置の位置が変化するため、各周辺装置において装着状態に応じた外観図が複数必要になり、外観図の画像データ量が膨大になる。
【０００７】
また、他の投影図法である平行投影図法では、視点から物体までの視線を平行にして作図するため、近くに位置するものも遠くに離れたものも同じ大きさで描かれる。平行投影図法を用いると、装着状態が変化しても、同一の外観図を用いることができ、外観図の画像データ量の増加を防ぐことができるが、肉眼での見た目からかけ離れた外観図となる。
【０００８】
この発明の目的は、画像データ量を増加させずに、肉眼での見た目に近い外観図を作成することができる画像形成装置を提供することである。
【課題を解決するための手段】
【０００９】
この発明の画像形成装置は、検出部、記憶部、作成部、及び表示部を備える。検出部は、装置本体への周辺装置の装着状態を検出する。記憶部は、装置本体、及び周辺装置のそれぞれの外観図の画像データを記憶する。作成部は、記憶部を参照して、検出部が検出した装着状態に応じた外観図の画像データを作成する。表示部は、作成部が作成した外観図の画像データに基づく画像を表示する。装置本体の外観図は、透視投影図法を用いて作成されている。周辺装置の外観図は、装置本体の一方の側面に選択的に装着可能な第１周辺装置の外観図と、装置本体と第１周辺装置との間に選択的に装着可能な第２周辺装置の外観図と、を含む。第１周辺装置の外観図は、装置本体側の投影線を透視投影図法における投影線に平行とし、装置本体と反対側の投影線を装置本体側の投影線に交差させる投影図法を用いて作成されている。第２周辺装置の外観図は、複数の投影線を装置本体側の投影線に平行にする平行投影図法を用いて作成されている。
【００１０】
この構成では、装置本体、第１周辺装置、及び第２周辺装置のそれぞれの外観図において、装置本体の一方の側面と第１周辺装置の装置本体側の側面と第２周辺装置の両側面とのそれぞれの投影線が互いに平行である。このため、画像形成装置の外観図は、装置本体に対する第１周辺装置及び第２周辺装置の装着状態に関わらず、装置本体、第１周辺装置、及び第２周辺装置の外観図のそれぞれにて単一の画像データを用いて画像を表示する。また、第３周辺装置の外観図において、装置本体側の投影線に装置本体と反対側の投影線を交差させている。このため、装置全体としての外観図は、投影線が消失点に向かうようになる。
【００１１】
この構成において、装置本体の外観図は、装置本体の背面側に消失点が存在する一点透視図法を用いて作成されており、第１周辺装置の少なくとも上面及び前面の外観図は、装置本体の背面側に消失点が存在する一点透視図法を用いて作成されており、第２周辺装置の外観図は、斜投影図法を用いて作成されている構成であることが好ましい。
【００１２】
この構成では、装置本体の前面側から見た外観図を記憶している。これにより、装置本体の前面で作業するユーザの肉眼での見た目に近い外観図になるため、ユーザの視認性を向上させることができる。
【００１３】
また、記憶部は、装置本体、周辺装置のそれぞれの上面又は前面の何れかに装着可能な第３周辺装置の外観図の画像データをさらに記憶する構成であることが好ましい。第３周辺装置の外観図は、第３周辺装置が装置本体の上面又は前面に装着可能な場合に、装置本体と同一の図法を用いて作成されており、第３周辺装置が第１周辺装置の上面又は前面に装着可能な場合に、第１周辺装置と同一の図法を用いて作成されており、第３周辺装置が第２周辺装置の上面又は前面に装着可能な場合に、第２周辺装置と同一の図法を用いて作成されている。
【００１４】
この構成では、第３周辺装置の外観図において、装置本体に装着される第３周辺装置の一方の側面、第１周辺装置に装着される第３周辺装置の装置本体側の側面、及び第２周辺装置に装着される第３周辺装置の両側面のそれぞれの投影線が互いに平行である。このため、画像形成装置の外観図は、装置本体、第１周辺装置、及び第２周辺装置のそれぞれに対する第３周辺装置の装着状態に関わらず、装置本体に装着可能な第３周辺装置、第１周辺装置に装着可能な第３周辺装置、及び第１周辺装置に装着可能な第３周辺装置の外観図のそれぞれにて単一の画像データを用いて画像を表示することができる。また、第１周辺装置に装着可能な第３周辺装置の外観図において、装置本体側の投影線に装置本体と反対側の投影線を交差させている。このため、装置全体としての外観図は、投影線が消失点に向かうようになる。
【００１５】
また、第１周辺装置は、後処理装置又は給紙装置が適用される。
【００１６】
これにより、画像形成装置は、後処理装置又は給紙装置と装置本体との間に周辺装置を装着することで、機能を追加することができる。
【発明の効果】
【００１７】
この発明の画像形成装置は、画像データ量を増加させずに、肉眼での見た目に近い外観図を作成することができる。
【図面の簡単な説明】
【００１８】
【図１】装置本体に周辺装置が装着された画像形成装置の外観図である。
【図２】装置本体の機能構成を示すブロック図である。
【図３】装置本体の外観図を示す模式図である。
【図４】（Ａ）及び（Ｂ）は、給紙ユニット及び後処理ユニットの外観図、（Ｃ）は装置本体に給紙ユニット及び後処理ユニットが装着された外観図を示す模式図である。
【図５】（Ａ）及び（Ｂ）は、給紙ユニット及び後処理ユニットのそれぞれと装置本体との間に装着可能な周辺装置の外観図、（Ｃ）は、装置本体に給紙ユニット及び後処理ユニットが装着され、給紙ユニット及び後処理ユニットと装置本体との間に周辺装置が装着された外観図を示す模式図である。
【図６】装着状態に応じた外観図を作成する処理手順を示すフローチャートである。
【図７】（Ａ）、（Ｂ）及び（Ｃ）は、装置本体、給紙ユニット又は後処理ユニット、及び他の周辺装置のそれぞれの上面及び前面に周辺装置が装着された画像形成装置の外観図を示す模式図である。
【図８】給紙ユニット及び後処理ユニットの他の外観図を示す模式図である。
【発明を実施するための形態】
【００１９】
この発明の第１実施例に係る画像形成装置１００について図を参照して説明する。図１に示すように、画像形成装置１００は、装置本体１０に各種周辺装置を選択的に装着可能である。装置本体１０は、原稿から読み取った画像データに基づいて、用紙に電子写真方式による多色又は単色の画像形成処理を行う。装置本体１０に装着可能な周辺装置は、例えば、給紙ユニット２０，９０、クリアコートユニット３０、インラインキャリブレータユニット４０、デカーラユニット５０、２ビンインサータユニット６０、マルチ折りユニット７０、及び後処理ユニット８０である。なお、装置本体１０に装着可能な周辺装置は、上記ユニットに限らない。また、給紙ユニット２０及び後処理ユニットは、本発明の第１周辺装置に相当し、給紙ユニット９０、クリアコートユニット３０、インラインキャリブレータユニット４０、デカーラユニット５０、２ビンインサータユニット６０、及びマルチ折りユニット７０は、本発明の第２周辺装置に相当する。
【００２０】
給紙ユニット２０，９０は、画像形成処理前の用紙が収納される給紙カセット又は手差しトレイの少なくとも一方を備え、用紙を装置本体１０へ給紙する。
【００２１】
給紙ユニット２０，９０は、所定の給紙方向に沿って装置本体１０に用紙を給紙するため、装置本体１０の給紙側に装着される。また、給紙ユニット２０は、給紙方向において、装置本体１０の給紙側の最上流側のみに選択的に装着可能である。給紙ユニット９０は、装置本体１０と給紙ユニット２０との間に選択的に装着可能である。
【００２２】
クリアコートユニット３０は、装置本体１０から排紙された用紙に光沢シートを張り付ける。インラインキャリブレータユニット４０は、光学センサ（不図示）を備え、装置本体１０から排紙された用紙にテスト用のカラーチャートを印刷して、印刷後の用紙からカラーチャートを光学センサで読み取り、カラーバランスを補正する。デカーラユニット５０は、装置本体１０から排紙された用紙のカールを矯正する。２ビンインサータユニット６０は、装置本体１０から排紙された用紙に差し紙を給紙する。マルチ折りユニット７０は、装置本体１０から排紙された用紙に対して、中折り、内三つ折り、外三つ折り、四つ折り（ダブルパラレル）、Ｚ折り等の処理を行う。後処理ユニット８０は、装置本体１０から排紙された用紙に対して、パンチ穴形成処理、ステープル処理、ソート処理を行う。
【００２３】
クリアコートユニット３０、インラインキャリブレータユニット４０、デカーラユニット５０、２ビンインサータユニット６０、マルチ折りユニット７０、及び後処理ユニット８０は、所定の排紙方向に沿って装置本体１０から排紙された用紙に対して処理を行うため、装置本体１０の排紙側に装着される。また、後処理ユニット８０は、排紙方向において、装置本体１０の排紙側の最下流側のみに選択的に装着可能である。クリアコートユニット３０、インラインキャリブレータユニット４０、デカーラユニット５０、２ビンインサータユニット６０、及びマルチ折りユニット７０は、装置本体１０と後処理ユニット８０との間に選択的に装着可能である。
【００２４】
装置本体１０は、図２に示すように、原稿読取部１１、画像形成部１２、排紙部１３、及び給紙部１４の他に、検出部１５、記憶部１６、表示入力部（本発明の表示部に相当する。）１７、及び制御部（本発明の作成部に相当する。）１８を備える。
【００２５】
原稿読取部１１は、原稿から画像を読み取って画像データを生成し、画像データを画像形成部１２に出力する。画像形成部１２は、画像データを用いて感光体ドラムの表面に形成したトナー像を直接又は間接的に用紙に転写し、定着ローラによって用紙に定着させる。トナー像が定着された用紙は、排紙部１３に排紙される。排紙部１３は、排紙側に周辺装置が装着されている場合に、排紙側に装着された周辺装置に用紙を搬送する。給紙部１４は、複数の用紙が収納される。画像形成部１２には、給紙部１４又は給紙ユニット２０，９０から用紙が給紙される。
【００２６】
検出部１５は、装置本体１０への周辺装置の装着状態を検出する。
【００２７】
記憶部１６は、装置本体１０、及び装置本体１０に装着可能な周辺装置のそれぞれの外観図の画像データを記憶する。
【００２８】
図３に示すように、装置本体１０の外観図は、装置本体１０の中心線Ｃ１上で且つ装置本体１０の背面側に消失点Ｏ１が存在し、投影線Ｌ１及び投影線Ｌ２を消失点Ｏ１で交差させる一点透視図法を用いて作成されている。投影線Ｌ１及び投影線Ｌ２は、中心線Ｃ１を対称軸とする線対象となる。
【００２９】
図４（Ａ）に示すように、給紙ユニット２０の上面及び前面の外観図は、投影線Ｌ１と平行な投影線Ｌ３に投影線Ｌ４を消失点Ｏ２で交差させる一点透視図法を用いて作成されている。給紙方向において、装置本体１０の給紙側の最上流側のみに装着可能な周辺装置の外観図は、給紙ユニット２０の外観図と同様の図法を用いて作成される。
【００３０】
また、図４（Ｂ）に示すように、後処理ユニット８０の上面及び前面の外観図は、投影線Ｌ１と平行な投影線Ｌ５に投影線Ｌ６を消失点Ｏ３で交差させる一点透視図法を用いて作成されている。排紙方向において、装置本体１０の排紙側の最下流側のみに装着可能な周辺装置の外観図は、後処理ユニット８０の外観図と同様の図法を用いて作成される。
【００３１】
図４（Ｃ）に示すように、装置本体１０に給紙ユニット２０及び後処理ユニット８０が装着された装着状態では、消失点Ｏ２及び消失点Ｏ３が消失点Ｏ１に一致する。すなわち、装置全体の外観図は、一点透視図法で作成されたものとなる。
【００３２】
また、給紙ユニット２０及び後処理ユニット８０のそれぞれの装置本体１０側の側面は、装置本体１０と重複して装置本体１０の背面側に配置される。このため、給紙ユニット２０及び後処理ユニット８０の外観図は、少なくとも上面及び前面が作成されればよい。なお、給紙ユニット２０及び後処理ユニット８０の装置本体１０側の側面の外観図のそれぞれを、投影線Ｌ３，Ｌ５のそれぞれに平行な斜投影図法を用いて作成してもよい。
【００３３】
図５（Ａ）に示すように、給紙ユニット９０の外観図は、全ての投影線Ｌ７を投影線Ｌ１と平行にする斜投影図法を用いて作成されている。装置本体１０と給紙ユニット２０の間に装着可能な周辺装置の外観図は、給紙ユニット９０の外観図と同様の図法を用いて作成される。
【００３４】
また、図５（Ｂ）に示すように、クリアコートユニット３０の外観図は、全ての投影線Ｌ８を投影線Ｌ２と平行にする斜投影図法を用いて作成されている。装置本体１０と後処理ユニット８０の間に装着可能な周辺装置の外観図は、クリアコートユニット３０の外観図と同様の図法を用いて作成される。
【００３５】
図５（Ｃ）に示すように、装置本体１０に給紙ユニット２０，９０、クリアコートユニット３０、及び後処理ユニット８０が装着された装着状態では、給紙ユニット２０及び後処理ユニット８０の装置本体１０側の側面は、それぞれ給紙ユニット９０及びクリアコートユニット３０のそれぞれと重複して給紙ユニット９０及びクリアコートユニット３０のそれぞれの背面側に配置される。
【００３６】
また、給紙ユニット９０及びクリアコートユニット３０の装置本体１０側の側面は、装置本体１０と重複して装置本体１０の背面側に配置される。このため、給紙ユニット９０及びクリアコートユニット３０の外観図は、少なくとも上面及び前面が作成されればよい。なお、給紙ユニット９０及びクリアコートユニット３０の装置本体１０側の側面の外観図のそれぞれを、投影線Ｌ７，Ｌ８のそれぞれに平行な斜投影図法を用いて作成してもよい。
【００３７】
表示入力部１７は、タッチパネルを有する入力装置であり、画像形成処理の開始指示や各種設定指示等の操作入力を受け付けて、操作入力に応じた操作信号を制御部１８に出力する。表示入力部１７は、画像形成処理の開始操作を受け付けるアイコンの画像や装置本体１０への周辺装置の装着状態を示す外観図の画像を表示するよう制御部１８によって制御される。
【００３８】
制御部１８は、表示入力部１７から操作信号が入力されると、操作信号に基づいて、各種機能部、装着された周辺装置を制御する。
【００３９】
制御部１８は、周辺装置の装着状態の表示指示時やジャムの発生時に、周辺装置の装着状態を示す外観図の画像を表示入力部１７に表示する。
【００４０】
装置本体１０に給紙ユニット２０，９０、クリアコートユニット３０、及び後処理ユニット８０が装着された装着状態を検出した場合について説明する。図６に示すように、制御部１８は、装置本体１０に給紙ユニット２０，９０、クリアコートユニット３０、及び後処理ユニット８０が装着された装着状態を検出部１５によって検出する（Ｓ１１）。制御部１８は、検出した装着状態に基づいて、装置本体１０の外観図の画像データ及び給紙ユニット２０，９０、クリアコートユニット３０、及び後処理ユニット８０の外観図の画像データを記憶部１６から取得する（Ｓ１２）。制御部１８は、取得した装置本体１０、給紙ユニット２０，９０、クリアコートユニット３０、及び後処理ユニット８０の外観図の画像データに基づく画像を重ね合わせて、装着状態に応じた装置全体の外観図の画像データを作成する（Ｓ１３）。制御部１８は、作成した外観図の画像データに基づく画像を表示入力部１７に表示する（Ｓ１４）。
【００４１】
以上のように、装置本体１０及び各種周辺装置のそれぞれの外観図において、装置本体１０の一方の側面と給紙ユニット２０及び後処理ユニット８０の装置本体側の側面と給紙ユニット９０及びクリアコートユニット３０の両側面とのそれぞれの投影線が互いに平行である。このため、周辺装置の装着状態が変化しても、装置本体１０及び各種周辺装置のそれぞれで単一の外観図の画像データを用いることができる。
【００４２】
また、装着状態に応じて、各種周辺装置の外観図を作成する必要がないため、多量の演算を行わずに、装着状態に応じた外観図を作成することができる。
【００４３】
さらに、装置本体１０、給紙ユニット２０，９０、クリアコートユニット３０、及び後処理ユニット８０のそれぞれの外観図の作成に用いた投影線が、装置全体として中心へ向かうため、肉眼での見た目に近い外観図を作成することができる。特に、装置本体１０に給紙ユニット２０及び後処理ユニット８０のみが装着された装着状態では、それぞれの外観図の消失点が一致するため、肉眼での見た目により近い外観図となる。
【００４４】
また、図７に示すように、装置本体１０及び周辺装置のそれぞれの上面及び前面にも周辺装置（本発明の第３周辺装置に相当する。）を装着可能である。
【００４５】
図７（Ａ）に示すように、装置本体１０の上面又は前面に装着可能な周辺装置１０１，１０２の外観図は、装置本体１０の図法と同一の一点透視図法を用いて作成されている。
【００４６】
図７（Ｂ）に示すように、給紙ユニット２０及び後処理ユニット８０のそれぞれの上面又は前面に装着可能な周辺装置２０１，２０２の外観図は、給紙ユニット２０及び後処理ユニット８０の外観図と同一の透視投影図法を用いて作成されている。周辺装置２０１，２０２の装置本体１０側の側面が他の周辺装置の背面に配置されないことがある。このため、周辺装置２０１，２０２における装置本体１０側の側面の外観図を、装置本体１０の外観図の作成に用いる投影線Ｌ１、Ｌ２の一方に投影線を平行とする斜投影図法を用いて作成した方が好ましい。
【００４７】
図７（Ｃ）に示すように、給紙ユニット９０及びクリアコートユニット３０のそれぞれの上面又は前面に装着可能な周辺装置３０１，３０２の外観図は、給紙ユニット９０及びクリアコートユニット３０の外観図と同一の斜投影図法を用いて作成されている。周辺装置２０１，２０２の装置本体１０側の側面が他の周辺装置の背面に配置されないことがある。このため、周辺装置３０１，３０２における装置本体１０側の側面の外観図を、装置本体１０の外観図の作成に用いる投影線Ｌ１、Ｌ２の一方に投影線を平行とする斜投影図法を用いて作成した方が好ましい。
【００４８】
以上のように、周辺装置１０１，１０２，２０１，２０２，３０１，３０２のそれぞれの外観図において、周辺装置１０１，１０２の一方の側面と周辺装置２０１，２０２の装置本体側の側面と周辺装置３０１，３０２の両側面とのそれぞれの投影線が互いに平行である。このため、周辺装置１０１，１０２，２０１，２０２，３０１，３０２の装着状態が変化しても、周辺装置１０１，１０２，２０１，２０２，３０１，３０２のそれぞれで単一の外観図の画像データを用いることができる。
【００４９】
また、装着状態に応じて、周辺装置１０１，１０２，２０１，２０２，３０１，３０２のそれぞれの外観図を作成する必要がないため、多量の演算を行わずに、装着状態に応じた外観図を作成することができる。
【００５０】
装置本体１０、周辺装置１０１，１０２，２０１，２０２，３０１，３０２のそれぞれの外観図の作成に用いた投影線が、装置全体として中心へ向かうため、肉眼での見た目に近い外観図を作成することができる。
【００５１】
この発明の第２実施例に係る画像形成装置は、給紙ユニット２０及び後処理ユニット８０の外観図が図８に示す投影図法を用いて作成されている点で第１実施例の画像形成装置１００と相違する。以下、相違点についてのみ説明する。
【００５２】
図８に示すように、装置本体１０に給紙ユニット２０及び後処理ユニット８０が装着された装着状態で、給紙ユニット２０の上面及び前面の外観図は、装置全体の中心線Ｃ２上で且つ装置本体１０の背面側に消失点Ｏ４が存在し、投影線Ｌ１と平行な装置本体１０側の投影線Ｌ１１に投影線Ｌ１２を消失点Ｏ４で交差させる一点透視図法を用いて作成されている。
【００５３】
また、装置本体１０に給紙ユニット２０及び後処理ユニット８０が装着された装着状態で、後処理ユニット８０の上面及び前面の外観図は、投影線Ｌ２と平行な装置本体１０側の投影線Ｌ１３に投影線Ｌ１４を消失点Ｏ４で交差させる一点透視図法を用いて作成されている。なお、装置本体１０に給紙ユニット２０及び後処理ユニット８０が装着された装着状態で、投影線Ｌ１２及び投影線Ｌ１４は、中心線Ｃ２を対称軸とする線対象となる。
【００５４】
以上のように、図８に示す給紙ユニット２０及び後処理ユニット８０の外観図を用いることで、給紙ユニット２０及び後処理ユニット８０のそれぞれと装置本体１０との間に装着する周辺装置の装着台数が増減しても、装置全体の中心線Ｃ２上に消失点Ｏ４が位置するため、装置全体の両端が歪まない。
【００５５】
なお、上述の実施例では、装置本体１０の外観図を透視図法である一点透視図法を用いて作成したが、他の透視図法である二点透視図法を用いて作成してもよい。この場合には、給紙ユニット２０及び後処理ユニット８０の上面及び前面の外観図は、透視図法である一点透視図法を用いて作成せずに、他の透視図法である二点透視図法を用いて作成する。給紙ユニット９０及びクリアコートユニット３０の外観図は、平行投影図法である斜投影図法を用いて作成せずに、他の平行投影図法である軸測投影図法を用いて作成する。
【００５６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５７】
Ｌ１，Ｌ２…投影線
１０…装置本体
１６…表示入力部
１７…記憶部
１８…制御部
２０，９０…給紙ユニット
３０…クリアコートユニット
４０…インラインキャリブレータユニット
５０…デカーラユニット
６０…２ビンインサータユニット
７０…マルチ折りユニット
８０…後処理ユニット
９０…給紙ユニット
１００…画像形成装置
【図１】
0005813528.tif 000002
【図２】
0005813528.tif 000003
【図３】
0005813528.tif 000004
【図４】
0005813528.tif 000005
【図５】
0005813528.tif 000006
【図６】
0005813528.tif 000007
【図７】
0005813528.tif 000008
【図８】
0005813528.tif 000009